(57)【要約】【課題】表示モジュールの装着作業一つで電源及び制御回路との電気的接続が行える作業性の向上を図った表示モジュールの検査装置を提供する。【解決手段】表示素子２を駆動するための電源及び各種信号の入力端子１２を有する第１のコネクタ１０を外縁部に設けた表示モジュール１の検査装置１９であって、前記表示モジュール１を装着するための装着台２０と、前記電源２２と、前記各種信号を発生する制御回路２３と、これら電源２２及び制御回路２３の出力端子２８を有する第２のコネクタ２６とを備え、前記表示モジュール１を前記装着台２０へ装着することにより、前記第１，第２のコネクタ１０，２６が接続されることを特徴とする。これにより、電源２２及び制御回路２３と表示モジュール１との電気的接続が完了する。【選択図】      図３
2005043118.tif 000002
【特許請求の範囲】
【請求項１】
表示素子を駆動するための電源及び各種信号の入力端子を有する第１のコネクタを外縁部に設けた表示モジュールの検査装置であって、前記表示モジュールを装着するための装着台と、前記電源と、前記各種信号を発生する制御回路と、これら電源及び制御回路の出力端子を有する第２のコネクタとを備え、前記表示モジュールを前記装着台へ装着することにより、前記第１，第２のコネクタが接続されるようになっていることを特徴とする表示モジュールの検査装置。
【請求項２】
前記表示モジュールの左右側縁部を挟持する一対の押さえを前記装着台に備え、この一対の押さえの一方に前記第２のコネクタを備えたことを特徴とする請求項１に記載の表示モジュールの検査装置。
【請求項３】
前記第１，第２のコネクタ間に凹凸嵌合機構を備えたことを特徴とする請求項１又は２に記載の表示モジュールの検査装置。
【請求項４】
前記検査装置が可搬式の台車であることを特徴とする請求項１〜３のいずれかに記載の表示モジュールの検査装置。
【発明の詳細な説明】
【０００１】
【発明の属する技術分野】
本発明は、表示モジュールの検査に利用される検査装置に関するものである。
【０００２】
【従来の技術】
従来、表示モジュールの目視検査に利用される検査装置としては、例えば特許文献１に開示されているように、表示モジュールを多段に載せて支持する棚、この棚の傾斜角度を調整する角度調整棒、表示モパネルを裏返して載置し電源線や各種信号線の結線作業を行う作業台等を有した収納ラックが提案されている。
【０００３】
この従来の収納ラックは、棚及び角度調整棒が前後方向に移動可能であり、これにより小型のものからから大型のものまで様々なサイズの表示モジュールに対応できるようになっている。
【０００４】
【特許文献１】
特開２００２−１０８２４０号公報（第１図参照）
【０００５】
【発明が解決しようとする課題】
しかしながら、従来の収納ラックによると、目視検査の前工程で、同文献第２図（ｂ）のように、表示モジュールを裏返して作業台上に寝かせた状態で、収納ラック側の操作制御盤から延びる複数の電源線や各種信号線を、各々手作業で表示モジュール裏面のコネクタ等に結合する結線作業が必要であり、作業性が悪く、生産効率を上げることができないという問題があった。
【０００６】
本発明は、このような問題に鑑みてなされたものであり、表示モジュールの装着作業一つで電源及び制御回路との電気的接続が行える作業性の向上を図った表示モジュールの検査装置を提供することを目的とする。
【０００７】
【課題を解決するための手段】
上記目的を達成するために本発明は、表示素子を駆動するための電源及び各種信号の入力端子を有する第１のコネクタを外縁部に設けた表示モジュールの検査装置であって、前記表示モジュールを装着するための装着台と、前記電源と、前記各種信号を発生する制御回路と、これら電源及び制御回路の出力端子を有する第２のコネクタとを備え、前記表示モジュールを前記装着台へ装着することにより、前記第１，第２のコネクタが接続されるようになっていることを特徴とする。
【０００８】
この構成によると、前記表示モジュールを前記装着台へ装着することにより、前記第１，第２のコネクタが接続され、入力端子及び出力端子が接触して検査装置の電源及び制御回路と表示モジュールとが電気的接続される。そして、検査装置から電源及び各種信号を前記表示モジュールに供給することで、表示素子を駆動して表示面の目視検査を行うことができる。
【０００９】
具体的には、前記表示モジュールの左右側縁部を挟持する一対の押さえを前記装着台に備え、この一対の押さえの一方に前記第２のコネクタを備えることで、表示モジュールを立てた状態で装着台上に装着すると同時に、第１，第２のコネクタ間の接続を確実に行える。
【００１０】
さらに、前記第１，第２のコネクタ間に凹凸嵌合機構を備えたので、表示モジュールの装着と同時に、第１，第２のコネクタの位置決めがなされ、入力端子及び出力端子の接触状態が安定する。
【００１１】
また、前記検査装置を可搬式の台車として構成すると、検査装置の移動が容易にでき、実用性が増す。
【００１２】
【発明の実施の形態】
以下に本発明の実施形態を図面を参照して説明する。以下、本実施形態では、表示モジュールの検査装置を可搬式の台車に適用した例について説明するが、本発明は、表示モジュールと電気的に接続して制御するものであれば、これ以外のものでも適用が可能である。例えば、可搬式の台車ではなく、表示モジュールを載置する収納ラックなどであってもよい。
【００１３】
図１は、表示モジュールを検査用台車に装着した状態を示す斜視図であり、図２は、表示モジュールを示す正面斜視図（ａ）及び背面斜視図（ｂ）である。図２（ａ）に示すように、表示モジュール１は、ＴＦＴ（Ｔｈｉｎ  Ｆｉｌｍ  Ｔｒａｎｓｉｓｔｏｒ：薄膜トランジスタ）基板上に液晶層を挟みカラーフィルタ基板を積層したアクティブマトリクス型液晶パネル（表示素子）２と、その液晶パネル２の表示面が枠体から外部に臨むように液晶パネル２を支持する箱形のケーシング３とを備えている。そして、図２（ｂ）に示すように、ケーシング３の背面側には、該ケーシング３の上縁部３ａ側に制御基板４が設けられるとともに、（該表示モジュール１を正面から見て）ケーシング３の左縁部３ｂ側にコンバータ基板５が、右縁部３ｃ側にコンバータ基板６がそれぞれ設けられている。
【００１４】
制御基板４及びコンバータ基板５，６には、ケーシング３の内側へ片寄った位置に、電源及び各種信号の入力端子７，８，９等の端子がそれぞれ設けられている。また、ケーシング３背面の左縁部３ｂの下端部には、接続ケーブル１６〜１８付きの第１のコネクタ１０が取り付けられている。
【００１５】
図４は、第１のコネクタ１０の斜視図（ａ）、左側面図（ｂ）、正面断面図（ｃ）及び右側面図（ｄ）である。これらの図に示すように、第１のコネクタ１０は角形の部材であり、その上下端にはケーシング３（図２参照）へのネジ止め用の孔１５を有するネジ止め片１０ａ，１０ｂを備えている。この第１のコネクタ１０は、図６に示すように、検査用台車１９側に設けられる第２のコネクタ２６と対になっていて、コネクタ同士の接触面がケーシング３の左縁部３ｂと面一となるように第１のコネクタ１０はケーシング３に取り付けられている。
【００１６】
また、第１のコネクタ１０の中央部には、第１のコネクタ１０の左右側面と面一になる角形の端子部材１１が埋設されている。第１のコネクタ１０には、端子部材１１の上下に、左右に貫通する貫通孔１３，１４が一つずつ設けられている。端子部材１１には、複数の入力端子１２が上下に並んで形成されており、入力端子１２の一端には各端子１２を制御基板４の端子７、コンバータ基板５，６の端子８，９に接続するための接続ケーブル１６〜１８の一端が予め半田付けなどにより接続されている。
【００１７】
この第１のコネクタ１０は、図２（ｂ）のように、ケーシング３の背面の所定の位置にネジ止めされた後、接続ケーブル１６の他端（自由端）が制御基板４の入力端子７に、接続ケーブル１７，１８の他端（自由端）がコンバータ基板５，６の入力端子８，９にそれぞれ結合される。これにより、制御基板４の入力端子７、コンバータ基板５，６の入力端子８，９が第１のコネクタ１０にまとめられる。
【００１８】
次に、検査用台車１９の構成について図１を参照しながら説明する。検査用台車１９は、装着台２０の底面の四隅に床面移動用のキャスター３２付きの足３３を備えている。装着台２０の下には、棚２１が設けられ、この棚２１上に電源２２と各種信号を発生する駆動回路２３が設けられている。装着台２０上には、表示モジュール１の左右の幅（ケーシング３の左右縁部３ｂ、３ｃ間の距離）に相当する距離を隔てて、表示モジュール１を左右から挟んで装着台２０上に立てて置くための一対の押さえ２４，２５が一列に複数設けられている。したがって、図１のように、複数の表示モジュール１を平行に装着台２０上に装着して、これらを同時に目視検査することができる。
【００１９】
押さえ２４は、装着台２０上の端部に固定された不動の部材であり、他方の押さえ２５と対向する面には、第２のコネクタ２６が設けられている。これに対し、押さえ２５は可倒式であり、普段は装着台２０の左側面に当接して垂れ下がった位置にあるが、装着台１９上に立てた位置まで起こすと、ロックが働くようになっている。
【００２０】
図７は、押さえ２４の斜視図であり、図８は、押さえ２５の斜視図である。これらの図に示すように、押さえ２４（押さえ２５）は、扁平な三角柱形状の一対の爪２４ａ，２４ｂ（爪２５ａ，２５ｂ）を有する断面形状がコの字型をした部材であり、これらの爪２４ａ，２４ｂ（爪２５ａ，２５ｂ）によって表示モジュール１のケーシング３の左縁部３ｂ（右縁部３ｃ）を挟んで表示モジュール１がふらつかないようにしている。
【００２１】
図５は、第２のコネクタ２６の斜視図（ａ）、左側面図（ｂ）、正面断面図（ｃ）及び右側面図（ｄ）である。第２のコネクタ２６は、第１のコネクタ１０と同様に角形の部材である。第２のコネクタ２６の中央部には、端子部材２７が設けられている。第２のコネクタ２６の左側面には、端子部材２７の上下に、第１のコネクタ１０の貫通孔１３，１４（図４参照）と嵌合する突起３０，３１が突設されている。端子部材２７には、複数の出力端子２８が上下に並んで形成されており、出力端子２８の一端にはケーブル３５（図６参照）に束ねられた電源線及び各種信号線が半田付けなどにより接続されている。これにより、電源２２（図１参照）及び制御回路２３（図１参照）の出力端子（図示せず）が第２のコネクタ２６にまとめられる。
【００２２】
以上のように構成された表示モジュールの検査用台車の使用形態について図３を参照しながら説明する。図３は、表示モジュール１の装着前（ａ）と装着後（ｂ）の検査用台車１９を示す平面図である。まず、図３（ａ）の矢印Ａのように、表示モジュール１を移動し、ケーシング３の左縁部３ｂの下端部を爪２４ａ，２４ｂ（図７参照）の間に入れるようにして、押さえ２４に当接させる。そして、表示モジュール１を装着台２０上で立てた状態で保持する。このとき、図６の拡大斜視図に示すように、突起３０，３１と貫通孔１３，１４を嵌合させるようにする。
【００２３】
そして、図３（ａ）の矢印Ｂのように、押さえ２５を起こし、ケーシング３の右縁部３ｃの下端部が爪２５ａ，２５ｂ（図８参照）の間に入るようにしてロックする。これにより、ケーシング３の左右縁部３ｂ，３ｃが押さえ２４，２５によって挟持され、表示モジュール１を装着台２０上に立てた状態で、検査用台車１９にしっかりと装着することができるとともに、第１，第２のコネクタ１０，２６を接続することができる。しかも、コネクタ間で突起３０，３１と貫通孔１３，１４が嵌合し、位置決めがなされるので、入力端子１２及び出力端子２８の接触状態が安定し確実に接続することができる。
【００２４】
そして、検査用台車１９に設けられた操作ボックス３４を用いて、ケーブル３６を介して表示モジュール１に電源や各種信号を供給し、表示モジュール１を動作状態にして一定時間エージングする。エージング中又はその終了の前後には、表示モジュール１の液晶パネル２の表示面の表示状態を目視検査する。目視検査が終了し、表示モジュール１を装着台２０から取り外すときは、押さえ２５を倒してロックを解除する。
【００２５】
このように、表示モジュール１側に設けられる制御基板４やコンバータ基板６，６の入力端子７〜９を第１のコネクタ１０にまとめるとともに、検査用台車１９側に設けられる電源２２や制御回路２３の出力端子２８を第２のコネクタにまとめ、表示モジュール１を検査用台車１９に装着すると同時にコネクタ間の接続を行うようにしたので、面倒なケーブルの結合作業が不要であり、作業性及び生産効率の向上が図られる。
【００２６】
なお、本実施形態では、表示モジュールの側縁部にコネクタを設けたものを例に説明したが、表示モジュールを検査用台車に載置することにより、第１のコネクタ及び第２のコネクタを接続できるものであれば、これ以外の構成のものでも適用可能である。例えば、表示モジュールの下縁部に第１のコネクタを設け、装着台の載置面に第２のコネクタを設けておいてもよい。
【００２７】
【発明の効果】
以上説明したように本発明によると、表示モジュール側に設けられる表示パネル駆動用の電源や各種信号の入力端子を第１のコネクタにまとめるとともに、検査装置側に設けられる電源や制御回路の出力端子を第２のコネクタにまとめ、表示モジュールを検査装置に装着すると同時にコネクタ間の接続を行うようにしたので、面倒なケーブルの結合作業が不要であり、作業性及び生産効率の向上が図られる。そして、コネクタ間に位置決め用の凹凸嵌合機構を設けたので、入力端子及び出力端子の接触状態が安定し確実に接続することができる。
【図面の簡単な説明】
【図１】表示モジュールを検査用台車に装着した状態を示す斜視図である。
【図２】その表示モジュールを示す正面斜視図（ａ）及び背面斜視図（ｂ）である。
【図３】表示モジュール装着前（ａ）と装着後（ｂ）の検査用台車を示す平面図である。
【図４】第１のコネクタの斜視図（ａ）、左側面図（ｂ）、正面断面図（ｃ）及び右側面図（ｄ）である。
【図５】第２のコネクタの斜視図（ａ）、左側面図（ｂ）、正面断面図（ｃ）及び右側面図（ｄ）である。
【図６】表示モジュール装着時の検査装置の主要部を示す拡大斜視図である。
【図７】一方の押さえの斜視図である。
【図８】他方の押さえの斜視図である。
【符号の説明】
１  表示モジュール
２  液晶パネル
３  ケーシング
１０  第１のコネクタ
１１  端子部材
１２  入力端子
１３，１４  貫通孔
１９  検査用台車（検査装置）
２０  装着台
２４，２５  押さえ
２６  第２のコネクタ
２７  端子部材
２８  出力端子
【図１】
2005043118.tif 000003
【図２】
2005043118.tif 000004
【図３】
2005043118.tif 000005
【図４】
2005043118.tif 000006
【図５】
2005043118.tif 000007
【図６】
2005043118.tif 000008
【図７】
2005043118.tif 000009
【図８】
2005043118.tif 000010